(57)【要約】【課題】より装脱着が容易で使い勝手が良いパンツ型の使い捨て紙おむつを提供する。【解決手段】透液性の表面シート（１０）と、不透液性の裏面シート（１１）と、両シートとの間に介装される吸収体（１２）とを有する紙おむつ本体（１）を備えたパンツ式の使い捨て紙おむつ（１００）に、一対の連結シート（２，２）を、腹側部及び背側部の左右の側縁部との間に固定し、装着時に連結シートが胴回り方向に展開可能に折り畳まれる部分を止着する係止離脱自在な一対の止着部（２０）を一組以上備えた。【選択図】　　　図１
2004121389.tif 000002
【特許請求の範囲】
【請求項１】
透液性の表面シートと、不透液性の裏面シートと、前記表面シートと前記裏面シートとの間に介装される吸収体とを有する紙おむつ本体を備え、胴回り開口部と脚周り開口部とが形成されているパンツ式の使い捨て紙おむつにおいて、
前記紙おむつ本体は、着用時に着用者の腹側に位置する腹側部と、背側に位置する背側部と、前記腹側部と前記背側部との間の股下部とに区分され、
前記腹側部及び前記背側部の左右の側縁部との間に固定された、一対の連結シートを備え、
装着時に前記連結シートには胴回り方向に展開可能に折り畳まれた折り畳み部が形成され、
前記折り畳み部を止着する係止離脱自在な一対の止着部が、一組以上備えられていることを特徴とする使い捨て紙おむつ。
【請求項２】
請求項１に記載の使い捨て紙おむつにおいて、
前記折り畳み部は、装着時に内側に折り畳まれ、
前記一組以上備えられた一対の止着部は、前記連結シートの外側に設けられ、前記連結シート同士が止着されることを特徴とする使い捨て紙おむつ。
【請求項３】
請求項１に記載の使い捨て紙おむつにおいて、
前記折り畳み部は、装着時に外側に折り畳まれ、
前記一対の止着部の一方は、前記連結シートの外側に設けられ、前記一対の止着部の他方は、前記腹側部或いは前記背側部の裏面シート側に設けられていることを特徴とする使い捨て紙おむつ。
【請求項４】
請求項１に記載の使い捨て紙おむつにおいて、
前記一対の止着部の一方は、前記腹側部或いは前記背側部の裏面シートに固定された止着部材であり、
前記一対の止着部の他方は、前記腹側部或いは前記背側部の裏面シート側に設けられていることを特徴とする使い捨て紙おむつ。
【請求項５】
請求項３又は４に記載の使い捨て紙おむつにおいて、
前記止着部の他方は、前記裏面シートであることを特徴とする使い捨て紙おむつ。
【発明の詳細な説明】
【０００１】
【発明の属する技術分野】
この発明は、使い捨て紙おむつのうち、特にパンツ型の使い捨て紙おむつに関する。
【０００２】
【従来の技術】
従来、パンツ型の使い捨て紙おむつとして、透液性の表面シートと、不透液性の裏面シートと、前記両シートとの間に介装される吸収体を有し、腹側部と背側部との両側部を接合して胴回り開口部と、一対の脚周り開口部とを形成したものがある（特許文献１参照）。
【０００３】
【特許文献１】
特開昭６１−２０７６０５号公報（第１−第３９項、第１図−第１２図）
【０００４】
【発明が解決しようとする課題】
上記の特許文献１に記載の紙おむつの場合、胴回りを形成する部分に複数の弾性部材が設けられ、伸縮自在に形成されている。従って、両手で胴回り開口部の両側部を持って伸張した状態にしないと着脱できないので、例えば、片手が不自由な着用者や手すりなどにつかまらないと立てない着用者の場合、一人で装脱着するのが難しい。
また、紙おむつの内部に装着した尿取りパッドのみを取替える際にも、紙おむつを着用者の膝程度まで引き下ろさなければならないので、着用者自身或いは介護者にとって面倒であるという問題があった。
【０００５】
本発明は、上記事情に鑑みてなされたものであって、より装脱着が容易で使い勝手が良いパンツ型の使い捨て紙おむつを提供することを目的とする。
【０００６】
【課題を解決するための手段】
上記課題を解決するため、請求項１に記載の発明は、例えば、図１から図５に示すように、透液性の表面シート（１０）と、不透液性の裏面シート（１１）と、前記表面シートと前記裏面シートとの間に介装される吸収体（１２）とを有する紙おむつ本体（１）を備え、胴回り開口部（１８）と脚周り開口部（１９）とが形成されているパンツ式の使い捨て紙おむつ（１００、２００、３００、４００）において、
前記紙おむつ本体は、着用時に着用者の腹側に位置する腹側部（１４）と、背側に位置する背側部（１５）と、前記腹側部と前記背側部との間の股下部（１６）とに区分され、
前記腹側部及び前記背側部の左右の側縁部との間に固定された、一対の連結シート（２，２）を備え、
装着時に前記連結シートには胴回り方向に展開可能に折り畳まれた折り畳み部（２，２）が形成され、
前記折り畳み部を止着する係止離脱自在な一対の止着部（例えば、止着部２０、雄部材２０ａ、雌部材２０ｂ、止着片２０ｃ等）が、一組以上備えられていることを特徴とする。
【０００７】
ここで、止着部とは、例えば、面ファスナの雄部材と雌部材、ファスニングテープとターゲットテープ等の互いに係止離脱可能な一対の止着部材、粘着性テープとその被着部等であるが、これらに限定されるものではなく、折り畳み部を係止できればどのようなものであってもよい。また、この一対の止着部は、一組以上であれば、何組形成されていてもよい。
【０００８】
請求項１に記載の発明によれば、一対の連結シートが、腹側部及び背側部の左右の側縁部との間に固定され、装着時に連結シートには胴回り方向に展開可能に折り畳まれた折り畳み部が形成され、この折り畳み部を止着する係止離脱自在な一対の止着部が一組以上設けられているので、使い捨て紙おむつの着用者の胴回りのサイズに合わせて調節することができる。また、止着部の解除により展開状態の紙おむつを保持することができるので、従来のパンツ式の紙おむつのように両手で胴回り部分を伸張させる必要がなくなる。そのため、例えば、片手による脱着等も容易となる。また、展開状態において、着用者が座ったまま、或いは寝たままの状態で、紙おむつを下げることなく、胴回りの隙間から尿取りパッド等の取替えができる。
【０００９】
請求項２に記載の発明は、請求項１に記載の使い捨て紙おむつにおいて、
前記折り畳み部は、装着時に内側に折り畳まれ、
前記一組以上備えられた一対の止着部（例えば、止着部２０，雄部材２０ａ、雌部材２０ｂ等）は、前記連結シートの外側に設けられ、前記連結シート同士が止着されることを特徴とする。
【００１０】
ここで、内側とは、装着時における使いすて紙おむつの内側を指す。
【００１１】
請求項２に記載の発明によれば、請求項１に記載の発明と同様の効果が得られるのは勿論のこと、特に、折り畳み部は、装着時に内側に折り畳まれ、一対の止着部は、連結シートの外側に一組以上設けられ、連結シート同士が止着されるので、装着時に、連結シートや止着部が外面に露出しないので、外見がすっきりする。
【００１２】
請求項３に記載の発明は、
請求項１に記載の使い捨て紙おむつにおいて、
前記折り畳み部は、装着時に外側に折り畳まれ、
前記一対の止着部の一方（例えば、雄部材２０ａ等）は、前記連結シートの外側に設けられ、前記一対の止着部の他方（例えば、雌部材２０ｂ、裏面シート１１等）は、前記腹側部或いは前記背側部の裏面シート側に設けられていることを特徴とする。
【００１３】
ここで、外側とは、装着時における使い捨て紙おむつの外側をさす。
【００１４】
請求項３に記載の発明によれば、請求項１に記載の発明と同様の効果が得られるのは勿論のこと、特に、折り畳み部は、装着時に外側に折り畳まれ、一対の止着部の一方は、連結シートの外側に設けられ、一対の止着部の他方は、腹側部或いは背側部の裏面シート側に設けられているので、着用者の胴回りのサイズに合わせて止着しやすい。
【００１５】
請求項４に記載の発明は、請求項１に記載の使い捨て紙おむつにおいて、
前記一対の止着部の一方（例えば、止着片２０ｃ、粘着部２０１等）は、前記腹側部或いは前記背側部の裏面シートに固定された、止着部材（例えば、止着片２０ｃ、粘着部２０１等）であり、
前記一対の止着部の他方（例えば、裏面シート１１等）は、前記腹側部或いは前記背側部の裏面シート側に設けられていることを特徴とする。
【００１６】
請求項４に記載の発明によれば、請求項１に記載の発明と同様の効果が得られるのは勿論のこと、特に、一対の止着部の一方は、腹側部或いは背側部の裏面シートに固定された、止着部材であり、一対の止着部の他方は、腹側部或いは背側部の裏面シート側に設けられているので、着用者の胴回りのサイズに合わせて止着することがより容易となる。
【００１７】
請求項５に記載の発明は、請求項３又は４に記載の使い捨ておむつにおいて、
前記止着部の他方は、前記裏面シートであることを特徴とする。
【００１８】
請求項５に記載の発明によれば、請求項３又は４に記載の発明と同様の効果が得られるのは勿論のこと、特に、止着部の他方は、裏面シートであるので、わざわざ止着部材を設けるコストや手間が省けるとともに、止着する場所が限定されないこととなって、より着用者にフィットするように調節することができる。
【００１９】
【発明の実施の形態】
以下、本発明の実施の形態を、図面を参照しながら詳細に説明する。
図１は、本発明の一例としてのパンツ型の使い捨て紙おむつ１００（以下、紙おむつ１００とする）を示す斜視図である。
【００２０】
紙おむつ１００は、透液性の表面シート１０と、不透液性の裏面シート１１と、それら両シート間に介装される吸収体１２とを含む紙おむつ本体１と、紙おむつ本体１の両側部に設けられる連結シート２，２とを備える。
【００２１】
紙おむつ本体１は着用時に着用者の腹側に位置する腹側部１４と、背中側に位置する背側部１５と、股下部１６とに区分されている。
【００２２】
また、紙おむつ本体１の腹側部１４の両側縁部に、一対の連結シート２，２の一端の側部がシール溶着や超音波溶着等により接合固定された接合部１７ａ，１７ｂが形成されている。また、背側部１５の両側縁部には、連結シート２，２のもう一端の側部が同様に接合固定された接合部１７ｃ，１７ｄが形成されている。これにより、紙おむつ１００の両側部は閉口状態で連結され、紙おむつ１００はパンツ型に形成されることとなって、胴回り開口部１８と、脚周り開口部１９，１９とが形成されている。
尚、内側とは、パンツ型に形成された紙おむつ１００の装着時における内側を指し、外側とは装着時における外側を指すものとする。
【００２３】
連結シート２，２の外側には、紙おむつ１００の胴回りに沿って、胴回り開口部１８近傍及び脚周り開口部１９近傍に、それぞれ止着部２０が設けられている。
止着部２０は、面ファスナ等の雄部材２０ａと、この雄部材２０ａに止着される面ファスナ等の雌部材２０ｂと、により構成され、連結シート２，２の外側に、左右に並んで設けられている。そして、連結シート２，２を折り畳んだ際に、左右の雄部材２０ａと雌部材２０ｂとが止着可能に形成されている。
つまり、紙おむつ１００の両側部において、それぞれ胴回り開口部１８近傍に１箇所、脚周り開口部１９，１９の近傍に１箇所、一対の止着部２０が、左右それぞれ二組ずつ形成されている。尚、止着部２０の数は限定されるものではない。
【００２４】
また、紙おむつ１００の胴回りは、連結シート２，２が設けられていることにより、通常装着時における胴回りのサイズよりも大分、余裕がある大きさに形成されている。そこで、紙おむつ１００の装着の際には、図２に示すように、この連結シート２，２を、紙おむつ１００の両側部において、装着者の胴回りのサイズに合うように内側に折り畳むようにし、止着部２０の雄部材２０ａと雌部材２０ｂを係止させることにより調節することもできる。
【００２５】
また、腹側部１４の長手方向の腹側端部１４１には、糸ゴム等の弾性部材１４１ａが幅方向に沿うようにして設けられ、この弾性部材１４１ａによりウエストギャザー１４２が形成されている。同様に、背側部１５の長手方向の背側端部１５１には、糸ゴム等の弾性部材１５１ａが幅方向に沿って設けられ、この弾性部材１５１ａによりウエストギャザー１５２が形成されている。これにより、着用者の胴回りにフィットするように伸縮自在な構造となっている。また、このウエストギャザー１５２は、着用者が横になった場合の漏れを防止する機能を果たす。
【００２６】
吸収体１２は、紙おむつ１００の使用時に、体液としての尿等の水様成分を吸収するものであり、綿やパルプ等の吸収性素材や、繊維或いはフィルム等のシート状基材と、高吸水性樹脂とを組み合わせて形成される。吸収体１２は、腹側部１４から背側部１５に亘る位置に配置され、ある程度の幅と長さを有するように、例えば、図１に示すように略長方形状に形成されている。
【００２７】
また、脚周り開口部１９，１９において、表面シート１０と裏面シート１１との間には、脚周り開口部１９，１９の両側縁部の湾曲形状に合わせて湾曲した糸ゴム等の弾性部材（図示なし）がそれぞれ設けられ、それにより平面ギャザー１９１，１９１が形成され、着用者の脚回りに伸縮自在にフィットし、横漏れを防止するようになっている。
【００２８】
上記のように構成された紙おむつ１００を装着する際、腹側部１４が人体の腹部に位置するように、胴回り開口部１８から片足ずつ脚周り開口部１９に足を通す。次いで、着用者の胴回りのサイズに合わせて、ウエスト開口部１８の連結シート２，２を内側に折り畳んで、４組みの止着部２０の雄部材２０ａと雌部材２０ｂとを係止させる。このようにすると、着用者の胴回りにフィットした状態となる。このとき、連結シート２，２の内側で折り畳まれた部分は、胴回りに沿って腹側部１４又は背側部１５に回り込む様にして内部に収納される。
【００２９】
そして、紙おむつ１００を外す場合には、止着部２０の係止状態を解除すると、連結シート２，２の折り畳まれた部分が胴回り方向に展開する。すると、紙おむつ１００をそのまま下におろすのに十分な隙間ができる。したがって、従来のパンツ型おむつのように、弾性部材により着用者にフィットしていた胴回り開口部１８を両手で伸張させる必要がないので、片手での紙おむつ１００の装脱着が可能である。
更に、止着部２０の係止状態を解除することにより連結シート２，２の折り畳まれた部分が展開すると、紙おむつ１００を、股部から膝部までおろすことなく、着用者の胴回りと、胴回り開口部１８との間に形成された隙間から、股下部１６等に配置していた尿取りパッドを交換することができる。
【００３０】
このように、本実施の形態による紙おむつ１００によれば、連結シート２，２が設けられ、該連結シート２，２には止着部２０が設けられているので、着用者の胴回りのサイズにフィットした状態にするためのサイズ調節が容易である。
また、紙おむつ１００の脱着の際に、止着部２０の係止を解除するだけで連結シート２，２の折り畳まれた部分が展開して脱着可能な状態となるので、従来のパンツ式おむつのように、胴回り部の弾性部材を両手で伸張させる必要がなくなるので、装脱着に力がいらず、片手でもできることとなって、装脱着が容易である。
更に、止着部２０が解除状態の場合、着用者の胴回りと、紙おむつ１００の胴回り開口部１８との隙間が大きく形成されるので、紙おむつ１００やズボン等を股部から膝部までおろさなくとも、尿取りパッド等を交換することができる。
【００３１】
また、連結シート２，２は、装着時に折り畳まれた状態で紙おむつ１００の内側に収納されるので、すっきりした外観となる。
【００３２】
次に、上記した本発明に係る紙おむつ１００の変形例について図２〜５を用いて説明する。なお、本変形例を説明するに当たり、紙おむつ１００と同様の構成、機能の部位等については同一の符号を付すとともに、詳細な説明を省略する。
【００３３】
［第１の変形例］
図３は、第１の変形例の紙おむつ２００の連結シート２，２の止着構造を示す図である。
図３に示すように、紙おむつ２００の装着時において、連結シート２，２は、一回の折り畳みでなく例えば、２回以上折り畳まれた蛇腹状態に形成されている。この第１の変形例の紙おむつ２００によれば、係止離脱動作がより容易となる。
【００３４】
［第２の変形例］
図４は、第２の変形例の紙おむつ３００の連結シート２，２の止着構造を示す図である。
図４に示すように、連結シート２，２は、装着時に、内側に折り畳まれるのではなく、外側で折り畳まれて固定される構成である。より具体的には、止着部２０の雄部材２０ａを連結シート２の適所に設け、雌部材２０ｂを腹側部１４の裏面シート１１側に設ける。そして、紙おむつ１００の装着の際には、着用者の胴回りのサイズよりも余った部分の連結シート２を胴回りに沿って、腹側部１４方向に回り込ませて、雄部材２０ａを、雌部材２０ｂに係止させる。
【００３５】
第２の変形例の紙おむつ３００によれば、装着時に、連結シート２，２が、紙おむつ２００の内側に収納されないので着用者の胴回りのサイズに合わせて止着し易い。
この場合、雌部材２０ｂを背側部１５に設け、連結シート２を背側部１５方向に回り込ませるようにしてもよい。
【００３６】
尚、雄部材２０ａと雌部材２０ｂとが、逆の位置に設けられる構成であってもよい。また、腹側部１４の裏面シート１１側に設けられる雌部材２０ｂは、特別な係止部材である構成に限られず、裏面シート１１自体であってもよい。
【００３７】
［第３の変形例］
図５は、第３の変形例の紙おむつ４００の連結シート２，２の止着構造を示す図である。
図５の（ａ）に示すように、止着部材としての、粘着部２０１を備えたテープ状の止着片２０ｃを背側部１５の裏面シート１１上の任意の場所に接着固定し、装着時には、図５の（ｂ）に示すように、この止着片２０ｃの粘着部２０１を腹側部１４の裏面シート１１側の任意の場所に貼り付けることにより係止させる構成である。
このとき、裏面シート１１は、止着片２０ｃを貼り付け可能に構成されている。
【００３８】
この第３の変形例の紙おむつ４００によれば、装着時に止着片２０ｃが外面に設けられているので、着用者の胴回りのサイズに合わせた装着動作が容易となる。また、裏面シート１１が、止着部２０の部材として機能するので、わざわざ止着用の部材を別に設ける手間とコストとを省くことが出来る上、止着する範囲が限定されないので、より細かな調節が実現する。
【００３９】
尚、腹側部１４の裏面シート１１側に止着片２０ｃを係止させてもよい。また、止着片２０ｃを係止させるための止着部材を、腹側部１４又は背側部１５の裏面シート１１上に設けてもよい。
【００４０】
尚、上記の実施の形態は、本発明を例示したに過ぎず、適宜変更可能である。例えば、連結シート２，２により着用者の胴回りにフィットさせることが可能なため、腹側端部１４１、背側端部１５１に形成されたウエストギャザー１４２、１５２はなくともよい。また、連結シート２，２は弾性部材から構成されているか若しくは糸状ゴム等の弾性部材が配置されることにより伸縮状態に形成されていてもよい。また、連結シート２，２は、腹側部１４又は背側部１５の裏面シート１１と一体形成であってもよい。この場合、接合部１７ａ、１７ｂ、１７ｃ、１７ｄは、接合部１７ａ、１７ｂ、又は接合部１７ｃ、１７ｄの何れかのみが形成される。
【００４１】
また、止着部２０は、面ファスナ、ファスニングテープ等どのような係止部材であってもよく、数量、形状、大きさ等は図示に限定されるものではない。また、雄部材２０ａと雌部材２０ｂとは逆の位置に設けられていてもよい。また、雄部材２０ａと雌部材２０ｂとの双方からなる係止方法ではなく、例えば、止着部２０は、連結シート２のいかなる部分にも貼り付けが可能な粘着性の一つの止着部材であってもよい。
【００４２】
また、吸収体１２の幅方向の長さは、股下部１６の形状に合わせて中央部が狭く、長手方向の腹側端部、背側端部は、腹側部１４、背側部１５の形状に合わせて、中央部よりも幅が広く形成されている構成であってもよい。
【００４３】
また、紙おむつ本体１の表面シート１０側には、吸収体１２の両側部に沿うようにして、ギャザーシートを配置し、立体ギャザーを形成した構成であってもよく、この場合、脚周り開口部１９，１９に設けられた平面ギャザー１９１，１９１は、該ギャザーシートと、裏面シート１１とにより形成されてもよい。
【００４４】
【発明の効果】
請求項１に記載の発明によれば、一対の連結シートが、腹側部及び背側部の左右の側縁部との間に固定され、装着時に連結シートには胴回り方向に展開可能に折り畳まれた折り畳み部が形成され、この折り畳み部を止着する係止離脱自在な一対の止着部が一組以上設けられているので、使い捨て紙おむつの着用者の胴回りのサイズに合わせて調節することができる。また、止着部の解除により展開状態の紙おむつを保持することができるので、従来のパンツ式の紙おむつのように両手で胴回り部分を伸張させる必要がなくなる。そのため、例えば、片手による脱着等も容易となる。また、展開状態において、着用者が座ったまま、或いは寝たままの状態で、紙おむつを下げることなく、胴回りの隙間から尿取りパッド等の取替えができる。
【００４５】
請求項２記載の発明によれば、請求項１に記載の発明と同様の効果が得られるのは勿論のこと、特に、折り畳み部は、装着時に内側に折り畳まれ、一対の止着部は、連結シートの外側に一組以上設けられ、連結シート同士が止着されるので、装着時に、連結シートや止着部が外面に露出しないので、外見がすっきりする。
【００４６】
請求項３記載の発明によれば、請求項１に記載の発明と同様の効果が得られるのは勿論のこと、特に、折り畳み部は、装着時に外側に折り畳まれ、一対の止着部の一方は、連結シートの外側に設けられ、一対の止着部の他方は、腹側部或いは背側部の裏面シート側に設けられているので、着用者の胴回りのサイズに合わせて止着しやすい。
【００４７】
請求項４記載の発明によれば、請求項１に記載の発明と同様の効果が得られるのは勿論のこと、特に、一対の止着部の一方は、腹側部或いは背側部の裏面シートに固定された、止着部材であり、一対の止着部の他方は、腹側部或いは背側部の裏面シート側に設けられているので、着用者の胴回りのサイズに合わせて止着することがより容易となる。
【００４８】
請求項５記載の発明によれば、請求項３又は４に記載の発明と同様の効果が得られるのは勿論のこと、特に、止着部の他方は、裏面シートであるので、わざわざ止着部材を設けるコストや手間が省けるとともに、止着する場所が限定されないこととなって、より着用者にフィットするように調節することができる。
【図面の簡単な説明】
【図１】本発明を適用した紙おむつ１００の斜視図である。
【図２】図１のおむつの連結シート２の止着構造を説明するための図である。
【図３】図１のおむつの第１の変形例である紙おむつ２００の連結シート２の止着構造を説明するための図である。
【図４】図１のおむつの第２の変形例である紙おむつ３００の連結シート２の止着構造を説明するための図である。
【図５】図１のおむつの第３の変形例である紙おむつ４００の連結シート２の止着構造を説明するための図であって、（ａ）は、止着されていない状態の説明図であり、（ｂ）は、止着状態の説明図である。
【符号の説明】
１００、２００、３００、４００　使いすて紙おむつ
１　紙おむつ本体
２　連結シート
１０　表面シート
１１　裏面シート（止着部の他方）
１２　吸収体
１４　腹側部
１５　背側部
１６　股下部
１７ａ、１７ｂ、１７ｃ、１７ｄ　接合部
１８　胴回り開口部
１９　脚周り開口部
２０　止着部
２０ａ　雄部材（止着部、止着部の一方）
２０ｂ　雌部材（止着部、止着部の他方）
２０ｃ　止着片（止着部、止着部材）
２０１　粘着部（止着部、止着部材）
【図１】
2004121389.tif 000003
【図２】
2004121389.tif 000004
【図３】
2004121389.tif 000005
【図４】
2004121389.tif 000006
【図５】
2004121389.tif 000007